(57)【要約】      （修正有）【課題】重心と幾何中心が互いに重なり、回路基板に半田付けされる時に傾斜しないランドグリッドアレイ電気コネクタ組立体を提供すること。【解決手段】電気コネクタ組立体１は、絶縁本体２と、絶縁本体に収容される複数の導電端子２４と、複数の第２孔４１０が形成される第１側辺４１を含む押圧板４と、絶縁本体を装入する框体３と、レバー５と、を備える。框体は、押圧板の第１側辺３０１に対応する第１底辺を含む基部３０と、該基部から上向きに延在する複数の側壁３１と、を具備する。レバーは、框体に固持される固持部５２と、框体の第１底辺に隣接し、回転可能な駆動部５０と、を具備する。該電気コネクタ組立体の重心と幾何中心は互いに重なる。【選択図】図１
0003117139.tif 000002
【実用新案登録請求の範囲】
【請求項１】
電気コネクタ組立体において、
該電気コネクタ組立体は、 
絶縁本体と、
絶縁本体に収容される複数の導電端子と、
複数の第２孔が形成される第１側辺を含む押圧板と、
絶縁本体を装入し、押圧板の第１側辺に対応する第１底辺を含む基部と、
該基部から上向きに延在する複数の側壁と、を含む框体と、
框体に固持される固持部と、
框体の第１底辺に隣接し、回転可能な駆動部と、を有するレバーと、
を備え、
該電気コネクタ組立体の重心と幾何中心は互いに重なることを特徴とする電気コネクタ組立体。
【請求項２】
前記框体の第１底辺には、複数の第１孔が形成されることを特徴とする、請求項１に記載の電気コネクタ組立体。
【請求項３】
前記押圧板は、第１側辺に対向する第２側辺を含むことを特徴とする、請求項２に記載の電気コネクタ組立体。
【請求項４】
前記押圧板の第２側辺の幅は、第１側辺の幅より広いことを特徴とする、請求項３に記載の電気コネクタ組立体。
【請求項５】
前記第２側辺には、複数の第２凸塊が設けられることを特徴とする、請求項３に記載の電気コネクタ組立体。
【請求項６】
前記押圧板の第２凸塊は、第２側辺の外側に位置し、絶縁本体に接触しないことを特徴とする、請求項５に記載の電気コネクタ組立体。
【請求項７】
前記絶縁本体には、第２凸塊を収容する複数の収容槽が形成されることを特徴とする、請求項５に記載の電気コネクタ組立体。
【請求項８】
前記框体は、第１底辺に対向し、複数の第１凸塊が設けられる第２底辺を含むことを特徴とする、請求項２に記載の電気コネクタ組立体。
【請求項９】
前記框体の第１凸塊は、第２底辺の側部に位置し、絶縁本体に接触しないことを特徴とする、請求項８に記載の電気コネクタ組立体。
【請求項１０】
前記押圧板は、中央に形成される開口と、該開口を包囲する複数の側辺と、板状部の前端部から前方に突出する一対の係合部と、板状部の後部に位置する押圧部と、を備えることを特徴とする、請求項１に記載の電気コネクタ組立体。
【請求項１１】
前記框体には、押圧板の一対の係合部に係合する一対の係合孔が形成されることを特徴とする、請求項１０に記載の電気コネクタ組立体。
【請求項１２】
前記レバーは、押圧部を押圧する突出部が設けられる固持部と、該固持部の一端から直角に折れ曲がる作動部と、作動部の自由端から折れ曲がる操作部と、を有することを特徴とする、請求項１０に記載の電気コネクタ組立体。
【請求項１３】
前記框体には、レバーの固持部と係合する係合片が更に設けられることを特徴とする、請求項１２に記載の電気コネクタ組立体。
【考案の詳細な説明】
【技術分野】
【０００１】
本考案は電気コネクタ組立体に関し、CPUを回路基板に電気接続するランドグリッドアレイ電気コネクタ組立体に関する。
【背景技術】
【０００２】
ランドグリッドアレイ電気コネクタは、体積が小さく、電気接続性が良いことから、通常、コンピュータのような電子装置に使用される。ランドグリッドアレイ電気コネクタは、CPUと回路基板を、電気接続する。CPUと回路基板と、の間のデータと信号の伝送を、達成する。
【０００３】
一種のランドグリッドアレイ電気コネクタ組立体２は、複数の導電端子が挿入される絶縁本体２１と、該絶縁本体２１が装入される框体２２と、框体２２の側部に取り付けられるレバー２５と、押圧板２４と、を備える。絶縁本体２１には、導電端子を挿入する導電部２１１が、設けられる。CPUは、押圧板２４とレバー２５によって、絶縁本体２１に固着される。
【０００４】
一体になる電気コネクタ組立体２は、取付板によって、回路基板に取り付けられる。電気コネクタ組立体２は、回路基板に取り付けられる時、真空吸着装置３で、回路基板に置かれて半田付けされる。
【０００５】
絶縁本体２１、框体２２及び押圧板２４は、それぞれ、対称構造をしている。絶縁本体２１、框体２２及び押圧板２４が取り付けられる電気コネクタ組立体２は、重心と構造体の幾何中心が互いに重なる。レバー２５が框体２２の側部に取り付けられると、該電気コネクタ組立体２の中心は、構造体の幾何中心から離れて、レバー２５向きに移動する。これにより、該電気コネクタ組立体２は、回路基板に半田付けされる時、レバー２５向きに傾斜するから、CPUと回路基板と、の間の良好な電気接続を確保できない。こうした電気コネクタ組立体の構造は従来技術文献に記載されている（例えば、特許文献１参照）。
【特許文献１】中国特許第２，６６５，９７１号明細書
【０００６】
従って、本考案は前記の欠点を克服するために一種の新たな電気コネクタ組立体を構成する。
【考案の開示】
【考案が解決しようとする課題】
【０００７】
本考案の目的は、こうした従来の問題点を解決した電気コネクタ組立体を提供することである。すなわち、従来技術とは異なり、重心と幾何中心が互いに重なり、回路基板に半田付けされる時に傾斜しないランドグリッドアレイ電気コネクタ組立体が得られるようにする。
【課題を解決するための手段】
【０００８】
本考案は電気コネクタ組立体に関し、該電気コネクタ組立体は、絶縁本体と、絶縁本体に収容される複数の導電端子と、複数の第２孔が形成される第１側辺を含む押圧板と、絶縁本体を装入する框体と、レバーと、を備える。框体は、押圧板の第１側辺に対応する第１底辺を含む基部と、該基部から上向きに延在する複数の側壁と、を有する。レバーは、框体に固持される固持部と、框体の第１底辺に隣接し、回転可能な駆動部と、を具備する。該電気コネクタ組立体の重心と幾何中心は互いに重なる。
【考案の効果】
【０００９】
従来技術に比べ、本考案は以下の長所を有する。本考案の電気コネクタ組立体は、レバーを取り付けない時、装置の重心と幾何中心は互いに重なる。レバーを取り付けると、電気コネクタ組立体の重心はレバー向きに移動する。押圧板の、レバーの駆動部に隣接する第１底辺に対応する第１側辺には、複数の第２孔が形成される。このため、装置の重心と幾何中心が互いに重なることを実現できる。電気コネクタ組立体は、回路基板に半田付けされる過程で、傾斜せずに良好な電気接続を確保できる。
【考案を実施するための最良の形態】
【００１０】
図１乃至図４において、ランドグリッドアレイ電気コネクタ組立体１は、CPU７を、電気接続する。該電気コネクタ組立体１は、複数の導電端子２４が挿入される絶縁本体２と、絶縁本体２が装入される框体３と、框体３に取り付けられる押圧板４と、レバー５と、を備える。
【００１１】
実質的に矩形の板状の絶縁本体２は、導電部２０と、該導電部２０によって包囲される矩形の中央孔２１と、導電部２０の対向する一対の側辺に設けられる二対の延在壁２２と、を有する。導電部２０には、上表面と下表面を貫通する四つの端子槽２６が更に形成される。各対の延在壁２２の中間には、開口（参照符号なし）が形成される。
【００１２】
レバー５は、金属レバーから製作される。該レバー５は、固持部５２と、該固持部５２の一端から直角に折れ曲がる駆動部５０と、駆動部５０の自由端から折れ曲がる操作部５４と、を有する。固持部５２の中間には、凸状の突出部５６が設けられる。操作部５４は、駆動部５０と平行に延在する。
【００１３】
押圧板４は、中央に形成される開口４０と、該開口４０を包囲する第１側辺４１、第２側辺４２、第３側辺４３と、第４側辺４４と、第３側辺４３の前端部から前方に突出する一対のアーチ形の係合部４３０と、一対の係合部４３０の間に設けられる定位部４３２と、第１、第２側辺４１、４２から下向きに突出する一対の突出壁４５と、第４側辺４４から延在して上向きに折れ曲がる押圧部４４２と、を備える。その中で、第１側辺４１と第２側辺４２は、互いに対向するように設置され、下向きに突出してアーチ形をなす。押圧部４４２が押圧されると、アーチ形の第１、第２側辺４１、４２によって、良好な弾力が与えられる。第３側辺４３は、第１、第２側辺４１、４２の前端部を連接する。第４側辺４４は、該押圧板４の後部に位置する。第１側辺４１には、複数の第２孔４１０が形成される。第２側辺４２には、下表面から下向きに突出する複数の第２凸塊４２０が設けられる。該第２凸塊４２０は、絶縁本体２に接触しない。本実施例において、該第２凸塊４２０は第２側辺４２の外側に位置する。或いは、絶縁本体２には、第２凸塊４２０を収容する複数の収容槽（図示せず）が形成される。
【００１４】
金属部材から製作される框体３は、基部３０と、基部３０の中央に形成される矩形の収容槽３２と、基部３０から上向きに延在する一対の対向する側壁３１と、前壁３４と、を具備する。収容槽３２の大きさは、絶縁本体２の大きさより僅かに小さい。このため、絶縁本体２を該框体３に装入する時、框体３と絶縁本体２は、互いに接触し得る。基部３０は、左側に位置する第１底辺３０１と、該第１底辺３０１に対向する第２底辺３０２と、を含む。該第１底辺３０１は、押圧板４の第１側辺４１に対応する。該第１底辺３０１には、複数の第１孔３００が形成される。第２底辺３０２には、複数の第１凸塊３５が設けられる。該第１凸塊３５は、第２底辺３０２の側部に位置し、絶縁本体２に接触しない。或いは、第１凸塊３５は、第２底辺３０２の上表面から突出するとともに、絶縁本体２には、該第１凸塊３５を収容する収容槽が形成される。
【００１５】
押圧板４の係合部４３０と対応する一対の係合孔３３は、それぞれ、前壁３４と基部３０を連接する部分において、対称に形成される。各側壁３１の末端には、後向きに延在する保持部３１１が設けられる。第１底辺３０１に対応する側壁３１には、外向きに突出する凸状部片３７が設けられる。基部３０には、更に後端部から上向きに延在して収容槽３２に向きに直角に折れ曲がる一対の係合片３６が設けられる。左側に位置する係合片３６には、右に延在し、レバー５に対応する固持片３６１が設けられる。
【００１６】
該電気コネクタ組立体１を取り付ける時、先ず、導電端子２４を、対応する端子槽２６に挿入する。導電端子２４は、一端が絶縁本体２の上表面から突出する。導電端子２４の他端には、絶縁本体２の下表面から突出するボール体（図示せず）が形成される。導電端子２４が挿入される絶縁本体２を、框体３の収容槽３２に装入する。
【００１７】
次に、押圧板４とレバー５を、框体３に固着する。押圧板４の突出壁４５が、絶縁本体２０をカバーする。一対の係合部４３０は、係合孔３３に係合する。該押圧板４は、前壁３４を回転中心として回転できる。押圧板４が回転して所定の位置まで到達する時、定位部４３２は前壁３４を押圧し、押圧板４が回転し過ぎて回路基板を叩くことを防止できる。レバー５の固持部５２は保持部３１１に保持されるとともに、係合片３６に係合し、固持片３６１に固持される。この状態で、突出部５６は、押圧板４の押圧部４４２を押圧する。駆動部５０は、框体３の第１底辺３０１に隣接し、凸状部片３７に錠止される。これにより、レバー５は、框体３に堅固に固着される。
【００１８】
使用過程で、取付板６は該電気コネクタ組立体１に組み合う。該電気コネクタ組立体１は、真空吸着装置が取付板６を吸着することによって、回路基板に移動して半田付けされる。次に、押圧板４は、前壁３４を回転中心として上向きに回転する。CPU７を絶縁本体２に保持する。開放した押圧板４は下向きに回転するとともに、レバー５の駆動部５０は鉛直位置から水平位置まで到達する。第１孔３００、第２孔４１０と、第１凸塊３５、第２凸塊４２０によって、電気コネクタ組立体１の重心と幾何中心１０は互いに重なる。そのため、該電気コネクタ組立体１０は、導電端子２４のボール体によって回路基板に半田付けされる過程で、傾斜せずに良好な電気接続を確保できる。
【００１９】
他の実施例において、電気コネクタ組立体１の重心と幾何中心１０が互いに重なるために、押圧板４の第２側辺４２の幅は、第１側辺４１の幅より広くなるように拡げられる。或いは、框体３の第２底辺３０２に対応する側壁３１の高さを高める。これにより、電気コネクタ組立体１の重心と幾何中心１０は互いに重なる。
【００２０】
概して、本考案の多数の特徴及び長所など、その構造及び機能を前述の記載により共に説明した。また、前述の記載や、本考案に基づきなし得る細部の修正或は変更など、いずれも本考案の請求範囲に属するものである。
【産業上の利用可能性】
【００２１】
本考案は電気コネクタ組立体に関し、特に、重心と幾何中心が互いに重なり、回路基板に半田付けされる時に傾斜しないランドグリッドアレイ電気コネクタ組立体に関する。
【図面の簡単な説明】
【００２２】
【図１】本考案の電気コネクタ組立体の分解斜視図である。
【図２】本考案の電気コネクタ組立体の組立斜視図である。
【図３】本考案の框体の斜視図である。
【図４】本考案の電気コネクタ組立体の斜視図である。
【符号の説明】
【００２３】
１  電気コネクタ組立体
２、８１  絶縁本体
３、８４  框体
４、８２  押圧板
５、８３  レバー
６  取付板
７  ＣＰＵ
８  電気コネクタ
１０、９６  中心
２０  導電部
２１  中央孔
２２  延在壁
２４、８０  導電端子
２６  端子槽
３０  基部
３１  側壁
３２  収容槽
３３  係合孔
３４  前壁
３５  第１凸塊
３６  係合片
３７  凸状部片
４０  開口
４１  第１側辺
４２  第２側辺
４２  延在壁
４３  第３側辺
４４  第４側辺
４５  突出壁
５０、８３０  駆動部
５２  固持部
５４  操作部
５６  突出部
９８  重心
３００  第１孔
３０１  第１底辺
３０２  第２底辺
３１１  保持部
３６１  固持片
４１０  第２孔
４２０  第２凸塊
４３０  係合部
４３２  定位部
４４２  押圧部
【図１】
0003117139.tif 000003
【図２】
0003117139.tif 000004
【図３】
0003117139.tif 000005
【図４】
0003117139.tif 000006